(57)【要約】【課題】  解決しようとする課題は、アルファベット文字や、中国語のアルファベット表記法であるピンインによって、携帯電話機や携帯端末等の携帯機器の英字や、中国文字入力と入力文字の選択確定を速やかに行うことが可能な入力装置を提供することにある。【解決手段】  左右２列に配置されたキーグループのキーのいずれか１つによって第１の信号が入力された後、この第１の信号が入力されたキーが配置された側と左右反対側のキーグループのキーのいずれか１つによって第２の信号が入力された際に、前記ディスプレイに表示される複数の文字データの配列に従ってこの第２の信号が入力されたキーに対応する文字データを入力データとする制御部とを有する入力装置において、文字データとして、英字や中国語アルファベット表記である併音字母（ピンイン）を使用し、ピンインの声母と韻母を組合せて構成し入力する。【選択図】図２
2010186204.tif 000002
【特許請求の範囲】
【請求項１】
文字データを入力するための複数のキーであって、それぞれ１つのキーに対して複数の文字データが割り当てられたキーが、左右２列に配置されたキーグループと、前記左右２列に配置されたキーグループのキーのいずれか１つによって第１の信号が入力された際に、この第１の信号が入力されたキーに割り当てられた複数の文字データを、この第１の信号が入力されたキーが配置された側と左右反対側のキーグループのキーの配列に対応させて縦１列に表示するディスプレイと、前記左右２列に配置されたキーグループのキーのいずれか１つによって第１の信号が入力された後、この第１の信号が入力されたキーが配置された側と左右反対側のキーグループのキーのいずれか１つによって第２の信号が入力された際に、前記ディスプレイに表示される複数の文字データの配列に従ってこの第２の信号が入力されたキーに対応する文字データを入力データとする制御部とを有する入力装置において、文字データとして、中国語アルファベット表記である併音字母（ピンイン）を使用し、ピンインの声母と韻母を組合せて構成して入力することを特徴とする入力装置。
【請求項２】
前記キーは、ｍ行ｎ列からなるマトリクスにそれぞれ１つずつ割り付けられた複数の文字データが、前記マトリクスの行または列ごとに割り当てられたものであり、前記制御部は、前記第１の信号が入力された際に前記マトリクスの行または列のいずれかのグループを決定し、前記第２の信号が入力された際にこの決定されたグループ内で列または行のいずれかを決定することにより前記入力データとする文字データを決定するものである請求項１記載の入力装置。
【請求項３】
前記左右２列のキーグループの間に、前記ディスプレイを備えた請求項１記載の入力装置。
【請求項４】
前記ディスプレイは、前記入力データを表示する主ディスプレイとは別に構成されるものである請求項３記載の入力装置。
【請求項５】
請求項１に記載の文字データとして、アルファベット文字の母音群と子音群を左右に分割して配列し、組合せて構成して入力することを特徴とする請求項１記載の入力装置。
【発明の詳細な説明】
【技術分野】
【０００１】
本発明は、携帯電話機や携帯端末等の携帯機器にアルファベット文字や中国語アルファベット表記である併音字母（ピンイン）の文字や記号等の文字データを入力する入力装置に関するものである。
【背景技術】
【０００２】
従来、携帯電話機に電話番号を入力する入力装置として、１から０までの押しボタンが使用されている。また、携帯電話機による文字通信を行うため、この電話番号入力用の押しボタンに文字記号を割り当てて入力可能にしている。そもそも携帯電話機が固定電話機から発達した歴史から、電話番号の１から０までの数字及び文字や記号等を入力する押しボタンの配列は、３列４行のものが世界的に普及しており、０から１の数字とＡからＺ等の文字等の組合せは概ね同様の数字及び文字グループで構成されている。この入力方法は中国語のアルファベット表記、すなわち併音字母（ピンイン）入力においても同様である。中国語の併音字母（ピンイン）は、漢字の表記法として、旧来の部首検索や電信用数字表記などに替わり、現在では中国語圏で最も普及しているアルファベット表記法である。
【０００３】
しかし、従来の携帯電話機のキーボードでは、文字入力方式として、いわゆる「キー連打方式」が主流であり、このキー連打方式では、１つの押しボタン（以下、「キー」と同義。）に複数の文字記号を割り当てているため、唯一の文字記号を確定させるためには、アルファベット文字では１回から４回キーを押さなければならない。また、同じキーに割り当てられている文字を続けて入力するためには、方向キーで１字先送りしなければならず、煩雑さと時間を要することが欠点として指摘されている。
【０００４】
この欠点を克服する発明として、例えば、特許文献１に記載のように、１つのキーを押すと、既定の第２キー文字群が、この押されたキーに隣接するキー部分に表示され、この中から所望の文字を選択出来る、というものがある。
【０００５】
また、特許文献２には、１列または２列に配置した数字キーにアルファベット文字等を割り当て、この数字キーと、アルファベット文字等の数字キー上における配置順によって決まる数字キーとの組合せによる２打で、文字記号を入力可能としたテンキーボードが記載されている。
【０００６】
また、特許文献３には、筐体に備えた１つの主ディスプレイの左右にそれぞれ複数のキーを備えたデバイスインターフェースが記載されている。このデバイスインターフェースでは、主ディスプレイの左右のキーを押すと、押されたキーに割り当てられている文字記号がこの主ディスプレイの左右のキーに沿って表示される。ユーザーは、この主ディスプレイに表示された文字の中から入力する文字に対応するキーを選択して押すことで、所望の文字を入力する。
【０００７】
また、特許文献４は、本出願の出願人による出願であって、左右縦列に配置されたキーグループの中央部に副ディスプレイを備えて、候補文字を選択決定する方法が示されている。
【０００８】
【特許文献１】特表２００４−５３４３１８号公報
【特許文献２】特許第３４４０２３６号公報
【特許文献３】米国特許出願公開第２００５／００４３０６３号明細書
【特許文献４】ＰＣＴ／ＪＰ２００６／３２１０８１号明細書
【発明の開示】
【発明が解決しようとする課題】
【０００９】
特許文献１に記載のように、押されたキーに隣接するキー部分に情報を表示する方法は、構造的および視覚的に実用的ではなく、非常に構造が複雑であってコストがかかるため現実的ではない。また、特許文献２に記載のテンキーボードでは、それぞれの数字キーに割り当てられているアルファベット文字等の配置順を覚えていなければならないという問題がある。
【００１０】
また、特許文献３に記載のデバイスインターフェースでは、広い主ディスプレイの左右にキーが配置されており、筐体を片手に持ったまま、その手で操作することが困難である。また、このデバイスインターフェースでは、１つのキーにより入力した際に、次に左右のキーにより入力できる文字記号を主ディスプレイ上に並べて表示するため、入力された文章を表示する主ディスプレイ上のスペースが残り少なくなってしまい、長い文章を入力する際には、入力された文章を見ながら入力することが困難である。
また、特許文献４に記載の方法では、アルファベットを１字１字打つことになり、中国語の併音字母（ピンイン）表記のように一語が複数のアルファベットで構成されている言語では煩瑣で入力の時間を要していた。
【００１１】
そこで、本発明が解決しようとする課題は、アルファベット文字や中国語のアルファベット表記法であるピンインによって、携帯電話機や携帯端末等の携帯機器の中国文字入力と入力文字の選択確定を速やかに行うことが可能な入力装置を提供することにある。
【課題を解決するための手段】
【００１２】
本発明の入力装置は、文字データを入力するための複数のキーであって、それぞれ１つのキーに対して複数の文字データが割り当てられたキーが、左右２列に配置されたキーグループと、左右２列に配置されたキーグループのキーのいずれか１つによって第１の信号が入力された際に、この第１の信号が入力されたキーに割り当てられた複数の文字データを、この第１の信号が入力されたキーが配置された側と左右反対側のキーグループのキーの配列に対応させて縦１列に表示するディスプレイと、左右２列に配置されたキーグループのキーのいずれか１つによって第１の信号が入力された後、この第１の信号が入力されたキーが配置された側と左右反対側のキーグループのキーのいずれか１つによって第２の信号が入力された際に、ディスプレイに表示される複数の文字データの配列に従ってこの第２の信号が入力されたキーに対応する文字データを入力データとする制御部とを有するものであって、文字データとして、アルファベット文字や中国語アルファベット表記である併音字母（ピンイン）を使用し、ピンインの声母と韻母を組合せて構成し入力するものである。
【００１３】
本発明の入力装置によれば、左右２列に配置されたキーグループのキーのいずれか１つによって１次選択が行われると、第１の信号が入力され、この第１の信号が入力されたキーに割り当てられた複数の文字データであって、この第１の信号が入力されたキーが配置された側と左右反対側のキーグループのキーにより入力可能な文字データが、そのキーグループのキーの配列に対応させて縦１列にディスプレイに表示される。そして、この１次選択が行われたキーが配置された側と左右反対側のキーグループのキーのいずれか１つによって２次選択が行われると、第２の信号が入力され、ディスプレイに表示されている複数の文字データの配列に従ってこの第２の信号が入力されたキーに対応する文字データが入力データとして入力されるが、文字データとしてピンインの声母と韻母を組合せて構成し表示することができるので、字数の多い語でも少ない打数で入力することができる。
【００１４】
ここで、キーは、ｍ行ｎ列からなるマトリクスにそれぞれ１つずつ割り付けられた複数の文字データが、マトリクスの行または列ごとに割り当てられたものであり、制御部は、第１の信号が入力された際にマトリクスの行または列のいずれかのグループを決定し、第２の信号が入力された際にこの決定されたグループ内で列または行のいずれかを決定することにより入力データとする文字データを決定するものであることが望ましい。これにより、複数の文字データをマトリクスに割り付けて、第１の信号および第２の信号により入力する文字データを容易に管理することができる。
【００１５】
また、本発明の入力装置は、左右２列のキーグループの間に、ディスプレイを備えた構成であることが望ましい。これにより、左右２列に配置されたキーグループのキーのいずれか１つによって１次選択が行われると、２次選択候補の文字データが、そのキーグループのキーの配列に対応させて各キーの近傍に表示されるので、所望の文字データを入力するためのキーを容易に選択することが可能となる。
【００１６】
また、ディスプレイは、入力データを表示する主ディスプレイとは別に構成されるものであることが望ましい。これにより、入力された文字データが表示される主ディスプレイのスペースを減らすことなく、主ディスプレイとは別に構成されたディスプレイの表示を見ながら所望の文字を選択して２次選択を行うことが可能となる。
【００１７】
また、図１０に示すようにディスプレイは、左右２列のキーグループの行ごとに独立して構成することが可能である。これにより、２次選択を行うキーごとにディスプレイを色別表示させたり、文字が表示されないディスプレイを暗転表示させたりすることができる。
【００１８】
また、左右２列のキーグループは、ディスプレイの下方に配置された構成とすることも可能である。これにより、主ディスプレイと選択文字候補を表示するディスプレイとを共用することが可能となる。また、このとき、選択文字候補は左右２列のキーグループと同じ側の縦１列に表示されるため、表示された選択文字候補とキーとの対応は把握しやすい。
【００１９】
また、キーは、横に細長く、かつ平均的な指先の巾程度の長さ、もしくは平均的な指先の巾以上の長さに形成され、各列におけるキー同士の上下の間隔が、平均的な指先の厚さ程度、もしくは平均的な指先の厚さより広くなるように配置された構成とすることも可能である。
【発明の効果】
【００２０】
（１）本発明によれば、左右２列のいずれかのキーグループのキーで１次選択が行われると複数の文字データを含む文字グループが決定され、次にこの１次選択が行われたキーが配置された側と左右反対側のキーグループのキーで２次選択が行われることにより、この文字グループ内の文字が決定され、入力されるので、テニスのボールを打ち合うようにリズム良く、簡単な操作により入力文字の選択確定を速やかに行うことが可能である。特に、２次選択は、ディスプレイに表示された文字に対応する左右いずれかのキーであって、１次選択を行ったキーと反対側のキーを使用するので、操作が極めて簡単である。また、両手を使って操作する場合、左右の指が交錯せず、交互に使って操作することになるので、入力効率が良い。
【００２１】
（２）左右２列のキーグループの間に、ディスプレイを備えた構成により、左右２列のいずれかのキーグループのキーで１次選択が行われると、２次選択候補の文字データが、そのキーグループのキーの配列に対応させて各キーの近傍に表示されるので、所望の文字データを入力するためのキーを容易に選択することが可能となり、入力文字の選択確定をさらに簡単かつ速やかに行うことが可能となる。
【００２２】
（３）ディスプレイが、入力データを表示する主ディスプレイとは別に構成されることにより、入力された文字データが表示される主ディスプレイのスペースを減らすことなく、主ディスプレイとは別に構成されたディスプレイの表示を見ながら所望の文字を選択して２次選択を行うことが可能となる。
【００２３】
（４）ディスプレイが、左右２列のキーグループの行ごとに独立して構成された構成によれば、２次選択を行うキーごとにディスプレイを色別表示させたり、文字が表示されないディスプレイを暗転表示させたりすることができるので、２次選択する文字に対応するキーの位置関係が明確となり、選択をさらに容易にすることができる。
【００２４】
（５）左右２列のキーグループが、ディスプレイの下方に配置された構成によれば、主ディスプレイと選択文字候補を表示するディスプレイとを共用することが可能となり、コストを抑えることが可能となる。
【００２５】
（６）キーを、タッチパネル式に構成すれば、キー配列はパネル上で任意の配列を選択することができる。キー配列を、従来の３列４行の配置と、本発明の２列５行の配列のいずれかを選択できるように構成すれば、新しい方法に習熟するまで旧来の方法も併用できる利点が生じる。また、キートップ表示も携帯電話本体に印刷することが可能となり、製造コストの低減にも寄与する。
【発明を実施するための最良の形態】
【００２６】
本発明の第１の実施の形態における携帯機器としての携帯電話機は、図２に示すように、携帯電話本体２４に、制御部３０、主ディスプレイ２３、文字モード切替キー２２、選択ディスプレイ２１、数字の１番のキー１１から５番のキー１５までの左列キーグループ、６番のキー１６から０番のキー２０までの右列キーグループや、「＊（アスタリスク）」、「＃（シャープ）」のキー等から構成される入力装置を備える。本実施形態における携帯電話機では、１番のキー１１から０番のキー２０までのキーグループを、図１に示した従来の一般的な携帯電話機の押しボタン配列のような左上の数字キー“１”から始まる３列４行のキーボード２の配列ではなく、図２に示すように、左列の１番のキー１１から始まり、５番のキー１５まで下方縦列に５行、さらに、右列の６番のキー１６から０番のキー２０まで下方縦列に５行を配置した２列５行の配列としている。
【００２７】
また、この入力装置では、１０個のキー１１〜２０により数字、文字および記号の各データを入力可能にするため、キー１１〜２０に、１０個の数字と、少なくとも２６文字のアルファベットと、少なくとも２６個の音節文字を以下のように割り当てている。すなわち、１番のキー１１に「１  ａｂｃｄ  ｃｈ」を、２番のキー１２に「２  ｅｆｇｈ  ｅｒ」を、３番のキー１３に「３  ｉｊｋｌｍ」を、４番のキー１４に「４  ＋ａ」を、５番のキー１５に「５  ＋ｉ」を、６番のキー１６に「６  ｎｏｐｑｒ」を、７番のキー１７に「７  ｓｔｕｖ  ｓｈ」を、８番のキー１８に「８  ｗｘｙｚ  ｚｈ」を、９番のキー１９に「９  ＋ｅ／ｏ」を、０番のキー２０に「０  ＋ｕ」をそれぞれ組み合わせて割り当てている。文字データに「ｃｈ」「ｅｒ」「ｓｈ」「ｚｈ」を加えたのは、これらの文字の組合せが中国語のピンインでは極めて頻繁に使用されるという理由による。
【００２８】
また、表１は５列１２行からなるマトリクスにそれぞれ１つずつ併音字母（ピンイン）の韻母に相当する音節文字を割り付けたキー番号と表示位置表である。表１において、縦列の数字は図２における各キー番号を示し、丸囲み数字は表示位置を示す。表１の５番のキーと０番のキーに割り当てる音節文字の数が５列を超えるため、２段とし、それぞれ、５−１、５−２及び０−１、０−２としている。表１の４番のキーの「ａｉ」「ａｏ」「ａｎ」「ａｎｇ」は、表２で示すように「＋ａ」で代表して図２に示している。同様に、表１の９番のキーの「ｅｉ」「ｅｎ」「ｅｎｇ」「ｏｎ」「ｏｎｇ」は、表２の「＋ｅ／ｏ」で代表して図２に示している。表１の５番キーは２段になっており、「５−１」は５番キーを１度押したときに表示される音節文字が「ｉａ」「ｉｕ」「ｉｅ」「ｉｎ」「ｉａｎ」であり、「５−２」は５番キーを２度押したときに表示される音節文字が「ｉｏｎｇ」「ｉａｎｇ」「ｉｎｇ」「ｉａｏ」であることを示し、表２で示すように「＋ｉ」で代表して図２に示している。同様に、表１の０番キーも２段になっており、「０−１」は０番キーを１度押したときに表示される音節文字が「ｕａ」「ｕｉ」「ｕｅ」「ｕｏ」「ｕｎ」であり、「０−２」は０番キーを２度押したときに表示される音節文字が「ｕａｎｇ」「ｕａｎ」「ｕａｉ」であることを示して、表２で示すように「＋ｕ」で代表して図２に示している。
【表１】
2010186204.tif 000003
【表２】
2010186204.tif 000004
【００２９】
選択ディスプレイ２１は、キー１１〜２０のいずれか１つの押下によって第１の信号が入力された際に、この第１の信号が入力されたキーに割り当てられた複数の文字データを、この第１の信号が入力されたキーが配置された側と左右反対側のキーグループのキーの配列に対応させて縦１列に表示するものである。選択ディスプレイ２１は、左列キーグループと右列キーグループとの中間位置に配置されている。また、図２に示すように、本実施形態においては、選択ディスプレイ２１は、キー１１〜２０等により入力された文字データを表示する主ディスプレイ２３とは別に構成されている。
【００３０】
なお、選択ディスプレイ２１を配置する位置については、図３に示すようにキーグループの左端配置や、図４に示すような右端配置とすることも可能であり、これらの配置であっても、図２に示す中間配置と同様の効果を得ると考えられるが、図２に示す中間配置が、視認性および操作性において最も好ましい配置である。
【００３１】
本実施形態においてキー配列を２列５行にした理由は、電話番号の入力に必要な１番から０番までの数字を１番から５番と６番から０番との５個ずつの２グループに分けることができること、３列構成のように中央列がなく、片側の列のキーが他の列のキーに干渉されないこと、右、左の打ちわけの方法が記憶および習熟を容易にすることが可能なためである。
【００３２】
本実施形態における入力装置の動作について説明すると、図２において、１番のキー１１から５番のキー１５までの左列のキーグループの１つのキーを押下することにより１次選択すると、このキー押下が第１の信号として制御部３０へ入力され、選択されたキーに予め割り当てられた複数の文字からなる文字グループの情報（文字データ）が、左列のキーグループと右列のキーグループの中間位置に配置された選択ディスプレイ２１に縦１列に表示される。このとき、当該文字グループの文字数は行の数以内に設定されており、表示される各文字は、必ず１次選択されたキーの反対側、すなわち、左列のキーグループによって１次選択がなされた場合には右列の真横のキーに各々１対１で宛がわれる。しかして、選択したい文字に対応する右列の真横のキーを押下することにより２次選択を行うと、このキー押下が第２の信号として制御部３０へ入力される。これにより、制御部３０は、選択ディスプレイ２１に表示される複数の文字データの配列に従ってこの第２の信号が入力されたキーに対応する文字データを入力データとして確定する。
【００３３】
一方、図２において、６番のキー１６から０番のキー２０までの右列のキーグループの１つのキーを押下することにより１次選択すると、このキー押下が第１の信号として制御部３０へ入力され、選択されたキーに予め割り当てられた複数の文字からなる文字グループの情報が、右列のキーグループと左列のキーグループの中間位置に配置された選択ディスプレイ２１に縦１列に表示される。このとき、当該文字グループの文字数は行の数以内に設定されており、表示される各文字は、必ず１次選択されたキーの反対側、すなわち、この場合には左列の真横のキーに各々１対１で宛がわれる。しかして、選択したい文字に対応する左列の真横のキーを押下することにより２次選択を行えば、このキー押下が第２の信号として制御部３０へ入力され、前述と同様、この第２の信号が入力されたキーに対応する文字データが入力データとして確定される。
【実施例１】
【００３４】
例えば、中国文字の「章」は併音字母（ピンイン）で表記すると、「ｚｈａｎｇ」となるが、これを、図１に示すような一般に普及している３列４行キーボードの携帯電話文字入力の方法で行うとキー番号で、９，９，９，９，４，４，２，６，６，４と打つことになり１０打を要する。しかし、これを本発明の方法で行うと次のように行える。
【００３５】
中国文字の「章」のピンイン表記である「ｚｈａｎｇ」は声母である「ｚｈ」と韻母である「ａｎｇ」とに分けることができる。本発明を示す図２において、文字モード切替キー２２が操作されて英字モードに切り替えられた状態で、右列８番のキー１８が押下されると、制御部３０は、この８番のキー１８に割り当てられているアルファベット、すなわち表１の８番キーの文字グループ「ｗｘｙｚ  ｚｈ」を、図５に示すように候補文字として選択ディスプレイ２１上に表示する。これらの候補文字「ｗｘｙｚ  ｚｈ」は左列の真横の各キー１１〜１５にそれぞれ対応しているので、例えば左列の５番のキー１５が押下されると、制御部３０はこの５番のキー１５に対応する文字「ｚｈ」を入力データとして確定し、主ディスプレイ２３に表示する。
【００３６】
同様に、左列４番のキー１４が押下されると、制御部３０は、この４番のキー１４に割り当てられている音節文字、すなわち表１、表２の４番キーの文字グループ「＋ａ」で代表される音節文字「ａｉ」「ａｏ」「ａｎ」「ａｎｇ」を、図６に示すように候補文字として選択ディスプレイ２１上に表示する。これらの候補文字「ａｉ」「ａｏ」「ａｎ」「ａｎｇ」は右列の真横の各キー１６〜２０にそれぞれ対応しているので、例えば右列の０番のキー２０が押下されると、制御部３０はこの０番のキー２０に対応する文字「ａｎｇ」を入力データとして確定し、主ディスプレイ２３に表示する。この結果「ｚｈａｎｇ」は４打で入力することができ、辞書変換されれば「章」が選択候補として表示される。
【００３７】
打数効率を従来の３列４行のキー配列による場合と本発明である２列５行のキー配列による場合とで比較する。中国語の「恰」「欠」「強」はピンインではそれぞれ「ｑｉａ」  「ｑｉａｎ」  「ｑｉａｎｇ」となり、いずれの方法で入力しても、通常、携帯電話に内蔵する辞書により複数の選択文字が表示され、その中から目的の字を選択することになるが、同数の候補文字を表示するために必要とする打数は表３に示すように、本発明が３列４行のキー配列に比べ３５乃至５５％少なくて済んでいる。また、「哲」「真」「正」はピンインではそれぞれ「ｚｈｅ」  「ｔｈｅｎ」  「ｚｈｅｎｇ」となり、同数の候補文字を表示するために必要とする打数は表４に示すように、本発明が３列４行のキー配列に比べ５０乃至６５％少なくて済んでいる。これにより本発明によるキー配列表示が極めて効率の良い入力方法を提供することがわかる。
【表３】
2010186204.tif 000005
【表４】
2010186204.tif 000006
【実施例２】
【００３８】
また、この入力装置では、前述項（００２７）及び（００２８）に記述したキー配列の変化応用例として、図７に示すように、以下の如く設定することもできる。すなわち、１番のキー１１に「１  ａ＋」を、２番のキー１２に「２  ｅ＋」を、３番のキー１３に「３  ｉ＋」を、４番のキー１４に「４  ｏ＋」を、５番のキー１５に「５  ｕ＋」を、６番のキー１６に「６  ｂｃｄ  ｃｈ」を、７番のキー１７に「７  ｆｇｈ  ｓｈ  ｚｈ」を、８番のキー１８に「８  ｊｋｌｍｎ」を、９番のキー１９に「９  ｐｑｒｓｔ」を、０番のキー２０に「０  ｖｗｘｙｚ」をそれぞれ組み合わせて割り当てている。文字データに「ｃｈ」「ｓｈ」「ｚｈ」を加えたのは、これらの文字の組合せが中国語のピンインでは極めて頻繁に使用されるという理由による。また、表５は５列１２行からなるマトリクスにそれぞれ１つずつ併音字母（ピンイン）の韻母に相当する音節文字を割り付けたキー番号と表示位置表２である。表３において、縦列の数字は図７における各キー番号を示し、丸囲み数字は表示位置を示す。表５の３番のキーと５番のキーに割り当てる音節文字の数が５列を超えるため、２段とし、それぞれ、３−１、３−２及び５−１、５−２としている。表５の１番のキーの「ａ」「ａｉ」「ａｏ」「ａｎ」「ａｎｇ」は、表６で示すように「ａ＋」で代表して図７に示している。同様に、表５の２番のキーの「ｅｉ」「ｅ」「ｅｎ」「ｅｎｇ」「ｅｒ」は、表６の「ｅ＋」で代表して図７に示している。表５の３番キーは２段になっており、「３−１」は３番キーを１度押したときに表示される音節文字が「ｉａ」「ｉｅ」「ｉ」「ｉｕ」「ｉｎ」であり、「３−２」は３番キーを２度押したときに表示される音節文字が「ｉｏｎｇ」「ｉａｎｇ」「ｉｎｇ」「ｉａｎ」「ｉａｏ」であることを示し、表６で示すように「ｉ＋」で代表して図７に示している。同様に、表５の４番キーの「ｏｕ」「ｏｎ」「ｏｎｇ」は表６の「ｏ＋」で代表して図７に示している。表５の５番キーは２段になっており、「５−１」は５番キーを１度押したときに表示される音節文字が「ｕａ」「ｕｅ」「ｕｉ」「ｕｏ」「ｕ」であり、「５−２」は５番キーを２度押したときに表示される音節文字が「ｕｎ」「ｕａｎ」「ｕａｎｇ」「ｕａｉ」「ｖｅ」であることを示して、表６で示すように「ｕ＋」で代表して図７に示している。
【表５】
2010186204.tif 000007
【表６】
2010186204.tif 000008
【００３９】
この実施例を、前述項（００３５）と同様に中国文字の「章」について行うと次のようになる。図７において、文字モード切替キー２２が操作されて英字モードに切り替えられた状態で、右列７番のキー１７が押下されると、制御部３０は、この７番のキー１７に割り当てられているアルファベット、すなわち表５の７番キーの文字グループ「ｆｇｈ  ｓｈ  ｚｈ」を、図８に示すように候補文字として選択ディスプレイ２１上に表示する。これらの候補文字「ｆｇｈ  ｓｈ  ｚｈ」は左列の真横の各キー１１〜１５にそれぞれ対応しているので、例えば左列の５番のキー１５が押下されると、制御部３０はこの５番のキー１５に対応する文字「ｚｈ」を入力データとして確定し、主ディスプレイ２３に表示する。
【００４０】
同様に、左列１番のキー１１が押下されると、制御部３０は、この１番のキー１１に割り当てられている音節文字、すなわち表５、表６の１番キーの文字グループ「＋ａ」で代表される音節文字「ａ」「ａｉ」「ａｏ」「ａｎ」「ａｎｇ」を、図９に示すように候補文字として選択ディスプレイ２１上に表示する。これらの候補文字「ａ」「ａｉ」「ａｏ」「ａｎ」「ａｎｇ」は右列の真横の各キー１６〜２０にそれぞれ対応しているので、例えば右列の０番のキー２０が押下されると、制御部３０はこの０番のキー２０に対応する文字「ａｎｇ」を入力データとして確定し、主ディスプレイ２３に表示する。この結果「ｚｈａｎｇ」は４打で入力することができ、辞書変換されれば「章」が選択候補として表示される。
【００４１】
各実施例は中国語における声母と韻母をグループに分けて、それぞれを組合わせる方法であるが、これをアルファベットの母音グループと子音グループとに分けて組み合わせる方法も同様に有効であり、他の言語にも応用できる。
【産業上の利用可能性】
【００４２】
本発明の入力装置は、携帯電話機や携帯端末等の携帯機器に英文字や中国語アルファベット表記である併音字母（ピンイン）の文字データを入力する装置として有用である。
【図面の簡単な説明】
【００４３】
【図１】従来の携帯電話機の正面図である。
【図２】本発明の実施の形態における携帯電話機の正面図である。
【図３】本発明の実施の形態における携帯電話機の補助ディスプレイの配置を変えた例を示す図である。
【図４】本発明の実施の形態における携帯電話機の補助ディスプレイの配置を換えた例を示す図である。
【図５】図２の携帯電話機の操作例を説明する正面図である。
【図６】図２の携帯電話機の操作例を説明する正面図である。
【図７】本発明の実施例２の形態における携帯電話機の正面図である。
【図８】図７の携帯電話機の操作例を説明する正面図である。
【図９】図７の携帯電話機の操作例を説明する正面図である。
【図１０】本発明の実施の形態における携帯電話機の補助ディスプレイの配置を換えた例を示す図である。
【符号の説明】
【００４４】
１  従来の携帯電話本体
２  従来の携帯電話のキーボード
１１  １番のキー
１２  ２番のキー
１３  ３番のキー
１４  ４番のキー
１５  ５番のキー
１６  ６番のキー
１７  ７番のキー
１８  ８番のキー
１９  ９番のキー
２０  ０番のキー
２１  選択ディスプレイ
２２  文字モード切替キー
２３  主ディスプレイ
２４  携帯電話本体
３０  制御部
【図１】
2010186204.tif 000009
【図２】
2010186204.tif 000010
【図３】
2010186204.tif 000011
【図４】
2010186204.tif 000012
【図５】
2010186204.tif 000013
【図６】
2010186204.tif 000014
【図７】
2010186204.tif 000015
【図８】
2010186204.tif 000016
【図９】
2010186204.tif 000017
【図１０】
2010186204.tif 000018